(57)【要約】      （修正有）【課題】屋外に設置された建築用コンクリートブロックの縦穴は、雨水が溜まって、蚊が発生する原因になっているため、この縦穴の上端にだけ、モルタルを均等に詰め込んで、穴を塞ぐことを可能にするモルタルまたはコンクリート用の型枠の役割をする器具を提供する。【解決手段】建築用コンクリートブロックの縦穴の上端付近にモルタルが留まるように、施工時に取り付ける、モルタルを載せるための底板部分１１と、４組の腕部分１２と爪部分１３の組とで、構成される器具を使用することにより、課題を解決できる。【選択図】図１
0003207845.tif 000002
【実用新案登録請求の範囲】
【請求項１】
平板状の底板部分と、該底板部分の上部に設けられた、爪の付いた複数の腕部分とを有し、該爪の付いた腕によって吊り下げられた状態で、該底板部分の上にモルタルまたはコンクリートを流し込めることを特徴とする、モルタルまたはコンクリート用の型枠の役割をする器具。
【請求項２】
請求項１記載の型枠の役割をする器具において、建築用コンクリートブロックの縦穴に取り付けることを特徴とし、該縦穴の上端に、モルタルを流し込むことを目的にした、モルタル用の型枠の役割をする器具。
【請求項３】
請求項２記載の型枠の役割をする器具において、爪の付いた腕部分を４本持つことを特徴とする、型枠の役割をする器具。
【考案の詳細な説明】
【技術分野】
【０００１】
本考案は、建築用コンクリートブロック（以下ブロックと言う）の貫通する縦穴の上端をモルタルで塞ぐために使用する器具に関するものである。
【背景技術】
【０００２】
日本の住宅地では、敷地の境界線にブロックを並べて設置することが多くあり、ブロックの縦穴の底に雨水が溜まって蚊が発生する原因になっている。蚊は、日本脳炎をはじめ、マラリア、デング熱、ジカ熱といった病気を感染させ、それにより毎年世界中で１００万人が死亡しているといわれている。
【０００３】
ブロックの縦穴にモルタルを詰めることで、雨水が溜まって蚊が発生するのを防ぐことが可能である。
【０００４】
モルタルを節約するために、ブロックの縦穴に古新聞などを丸めたものを詰め込んだ上に、モルタルを載せる方法も一部で行われている。
【０００５】
特許文献１では、鍔の付いた樋状のモルタル受けフレームを、ブロックの縦穴に装着して、ブロックの天端面にモルタル笠木を形成することで、雨水が溜まるのを防いでいる。
【０００６】
特許文献２では、発泡ポリスチレンや発泡ポリエチレン等の発泡材料を使用した孔塞ぎ栓を、ブロックの縦穴に詰め込んで、雨水が溜まるのを防いでいる。
【０００７】
特許文献４は、特許文献２の孔塞ぎ栓を改良したもので、繰り返し使用可能な金属製の穴閉鎖用具を、ブロックの縦穴に取り付けて、雨水が溜まるのを防いでいる。
【０００８】
特許文献３では、ブロックの縦穴の上端を塞いだ形状をした、天端機能構造のコンクリートブロックを提案しており、最初から上部に開口部のない、このようなブロックを使用すれば、雨水が溜まることがない。
【先行技術文献】
【特許文献】
【０００９】
【特許文献１】特開平１０−１８６５５号公報（図３）
【特許文献２】特開２００６−２５４８号公報（図１）
【特許文献３】特開２００９−１９３８２号公報（図２）
【特許文献４】実用新案登録第３１９１１９１号公報（図４）
【考案の概要】
【考案が解決しようとする課題】
【００１０】
ブロックの縦穴にモルタルを詰めることで、雨水が溜まるのを防ぐことができるが、口の小さな穴の底までモルタルを詰め込むならば、棒でつついて押し込むなどの手間が掛かるだけでなく、本来は必要でない穴の奥にまで、無駄なモルタルを詰めなければならないという課題がある。ブロックが何段も積んであるときには、縦穴が延長されて、この課題は更に深刻になる。
【００１１】
ブロックの縦穴に古新聞などを丸めて詰め込んだ上に、モルタルを載せる方法では、無駄になるモルタルを節約することができるが、それでも、多数ある縦穴に古新聞などを詰め込む作業には手間が掛かるとともに、穴ごとの施工結果を均等化できないという課題が残る。
【００１２】
特許文献１に記載されている、鍔の付いた樋状のモルタル受けフレームを縦穴に装着して、モルタルの落下を防いだ上で、モルタル笠木を形成するという方法は、既設のブロックに実施するには、大袈裟で手間が掛かり過ぎるという課題がある。
【００１３】
特許文献２と特許文献４は、いずれも、モルタル以外の物をブロックの縦穴に、はめ込むことを提案していて、半永久的な施工を目的にしたものではないという、根本的な課題がある。
【００１４】
特許文献３に記載されている、天端機能構造のコンクリートブロックに関しては、新しく施工する場合には利用できるものの、既に設置されているブロックをこれに置き換えることは、費用などの面で現実的には不可能であるという課題がある。また、フェンスの支柱などを立てる場合には、縦穴がないと施工できないという課題も有している。
【００１５】
上記の課題に対して、長持ちし補修も容易なモルタルを、既設のブロックの穴ごとに、均等に無駄なく詰め込むことを可能にするための器具を、本考案により提供する。
【課題を解決するための手段】
【００１６】
上記の課題を解決するため、ブロックの縦穴上端に、本考案による器具を取り付けることにより、モルタルが縦穴の底に落下することを防止するとともに、同じサイズの該器具を使用することで、縦穴ごとのモルタルの量を少量で一定にすることが可能となる。
【００１７】
該器具を使用したモルタル加工は、新規に設置するブロックだけでなく、既設の古いブロックに対しても実施でき、ブロックの耐久年数と同程度に形状を保つことができる。
【００１８】
該器具は容易にブロックに取り付けることができ、該器具を使用することで、ブロックの穴にモルタルを詰め込んで、穴を塞ぐ作業の手間を軽減できる。
【考案の効果】
【００１９】
以上のように、本考案の器具を使用することにより、ブロックの穴に詰め込むモルタルの量を必要最小限に抑えることができ、モルタルの費用と作業時間を削減できる効果がある。
【００２０】
該器具を利用すれば、既設のブロック構造物に対しても、ＤＩＹで容易に縦穴を塞ぐことができるようになり、穴の中に溜まる雨水による蚊の発生を抑え、伝染病の感染の危険性を軽減できる効果があるだけでなく、ブロックの穴に小さな物を落として取れなくなるような危険もなくなる。
【図面の簡単な説明】
【００２１】
【図１】本考案の器具の斜視図である。
【図２】本考案の器具を取り付けたブロックの斜視図である。
【図３】本考案の器具を取り付ける対象のブロックの水平断面図である。
【図４】本考案の器具を取り付けた状態でのブロックの垂直断面図である。
【図５】ブロックの上面をモルタルで覆った様子を示す垂直断面図である。
【考案を実施するための形態】
【００２２】
本考案の器具は、図１に示すような外観を呈しており、図２のようにブロック２１に取り付ける。器具の底板部分１１とブロックの穴形状２２とは、ほぼ同じ形になっている。
【００２３】
ブロックの穴形状２２は、サイズに若干のばらつきがあるため、器具の底板部分１１とブロックの穴形状２２との間にできるだけ隙間が発生しないように、底板部分１１は柔軟な素材で作られていることが望ましい。
【００２４】
本考案は、ブロックの縦穴の縁に、器具の一部を引っ掛けて支えるという点で、特許文献１に類似しているが、特許文献１では、モルタル笠木を形成して構造的に穴を塞ぐのに対して、本考案では、穴の内側でのモルタル２３とブロック２１との接着力によって、穴に詰めたモルタルだけで、穴を塞ぐという点で異なっている。
【実施例１】
【００２５】
図４は、本考案の器具を取り付けた状態でのブロックの垂直断面図であるが、この図に示すように、底板部分１１の上にだけ、モルタル２３を流し込む。
【００２６】
器具の腕部分１２は細く作られていることが必要で、それによりモルタル２３がブロック２１の穴の内側と接する面積は広くなり、モルタル２３はブロック２１に接着しやすい。
【００２７】
図１と図２に示す例では、爪部分１３の付いた腕部分１２は４本あって、底板部分１１を吊り下げている。
【００２８】
モルタル２３の硬化後には、該器具を取り出して再利用することができなくなるため、該器具の製造はできるだけ安価なものにした方がよい。また、モルタル２３が硬化するまでの期間だけ、該器具は形状を保っていればよい。
【００２９】
該器具の材質の一例として、試作品では、底板部分１１を段ボール紙とし、腕部分１２と爪部分１３には亜鉛メッキの針金を使用した。対をなす針金の腕は、段ボール紙の隙間を通って、繋がる構造にした。そのような弱そうに見える材質でも、ブロック２１の穴の上端に詰めるだけの、少量のモルタル２３を支えるには十分な強度があり、モルタル２３が硬化するまでの期間に、モルタル２３の水分を吸って、段ボール紙が崩れることもなかった。段ボール紙製の底板部分１１を、ブロックの穴形状２２より僅かに大きくしておくことで、底板部分１１は、ブロック２１の穴に隙間なくしっかりと固定できた。
【００３０】
モルタルをブロックの穴にだけ詰めたときには、器具の爪部分１３が表面に出ているため、モルタルが硬化した後で、爪部分１３を切除してもよい。
【００３１】
図５に示すように、器具の爪部分１３が隠れる程度に、モルタル２３をブロック２１の上面全体に塗れば、穴の周囲の境界が目立たなくなり、出来映えが美しくなる。ただし、モルタルは硬化後に若干縮むため、穴部分だけにモルタルを詰めて、固まった後に、仕上げで上面にモルタルを塗る方が望ましい。
【産業上の利用可能性】
【００３２】
本考案の器具は、元来はブロックの穴をモルタルで埋めることを目的に、考案されたものであるが、もっとサイズの大きなものに対しても、この器具の構造は、懸下式の型枠として、土木・建築の分野において、応用した利用が期待できる。
【符号の説明】
【００３３】
１１  器具の底板部分
１２  器具の腕部分
１３  器具の爪部分
２１  対象となるブロック
２２  ブロックの穴形状
２３  充填するモルタル
【図１】
0003207845.tif 000003
【図２】
0003207845.tif 000004
【図３】
0003207845.tif 000005
【図４】
0003207845.tif 000006
【図５】
0003207845.tif 000007